(57)【要約】【課題】フロント枠を着用者の眼部適正位置に安定かつ持続的に対置させて保持できる実用的なイヤークリップ眼鏡と、それに用いるモダンを提供する。【解決手段】眼鏡テンプルのモダン機構部に、着用者の耳珠側近傍に当接可能な前方ステーと；この前方ステーの上部に枢支して自由端を上下にチルト可能に操作できる後方ステーとを設け、着用者がフロント枠を眼部前面に対置させると共に、テンプルは左右側頭部に充行い、かつ、テンプル後端の各モダンの前方ステーは左右の各耳の耳珠側に当接させて、後方ステーは当該各耳の後部付根側へチルトせしめ、前記前方ステーと後方ステーとで左右両耳を挟着クリップできるようした。【選択図】　図５
2004133049.tif 000002
【特許請求の範囲】
【請求項１】
レンズを保持するフロント枠１と；このフロント枠１の左右両端に後方に持ち出し延設された一対のテンプル２・２と；これらテンプル２の後端部に設けられた分岐部材であって、着用者Ｐの耳珠側近傍に当接可能な前方ステー３１、および同前方ステー３１の上部に枢支されて自由端を上下にチルト操作可能な後方ステー３２を備えるモダン３とから成り、
着用者Ｐが前記フロント枠１を自己の眼部前面に対置させると共に、テンプル２・２は左右側頭部に充行い、かつ、テンプル２・２後端の各モダン３の前方ステー３１は左右の各耳の耳珠側に当接させ、後方ステー３２は当該各耳の後部付根側へチルトさせて、これら前方ステー３１と後方ステー３２とにより左右両耳を各々挟着クリップできるように構成したことを特徴とするイヤークリップ眼鏡。
【請求項２】
テンプル２と前方ステー３１とが一体に形成されており、この前方ステー３１の上部に後方ステー３２の基端部が枢支されて自由端が上下にチルト操作可能に構成したことを特徴とする請求項１記載のイヤークリップ眼鏡。
【請求項３】
モダン３における前方ステー３１の上部に後方ステー３２を連結する枢支部位に、周縁の所要箇所に安定停止部３３ａが形成されたカム３３を配設する一方、このカム３３は弾圧子３４に当接して、当接位置が常時弾力的に押圧されて後方ステー３１が当該カム３３の安定停止部３３ａに傾動するように枢支したことを特徴とする請求項１記載のイヤークリップ眼鏡。
【請求項４】
前方ステー３１の上部に後方ステー３２を連結してモダン３を構成する枢軸３５として、摩擦抵抗の大なる増摩性樹脂製のピボット、又は摩擦抵抗の大なる増摩性樹脂を付着したピボットを用い、後方ステー３２のチルト操作時に前記増摩性樹脂が軋摩抵抗が生じて後方ステー３２の停止位置を安定にすることを特徴とする請求項１記載のイヤークリップ眼鏡。
【請求項５】
フロント枠１が左右一対のレンズの全周を囲うフルリム１１・１１を含んで成ることを特徴とする請求項１〜４の何れか一つに記載のイヤークリップ眼鏡。
【請求項６】
フロント枠１が左右一対のレンズの上弦部又は下弦部を保持するハーフリム１２・１２を含んで成ることを特徴とする請求項１〜４の何れか一つに記載のイヤークリップ眼鏡。
【請求項７】
フロント枠１が、左右一対のレンズを横方向に並立状態に連結して保持するブリッジＢによって構成されている一方、前方ステー３１と後方ステー３１とを有するモダン３を後端部に装着したテンプル２・２が前記フロント枠１の左右両端に連結したブラケット智２１・２１に枢支されて、全体がリムレス形態を成していることを特徴とする請求項１〜４の何れか一つに記載のイヤークリップ眼鏡。
【請求項８】
フロント枠１が着用者Ｐの左右両眼を覆う一枚の調光又は色付きレンズを含んでおり、このレンズの左右両端にテンプル２・２が各々後方へ延設され、さらに、これらテンプル２の後端部に前方ステー３１と後方ステー３２とを備えるモダン３が各々装着されて、サングラス形態に構成されていることを特徴とする請求項１〜４の何れか一つに記載のイヤークリップ眼鏡。
【請求項９】
テンプル２の後端部に装着される眼鏡用部品であって、着用者Ｐの耳珠側近傍に当接可能な前方ステー３１と；この前方ステー３１の上部に枢支されて自由端を上下にチルト可能に操作できる後方ステー３２とを具備することを特徴とするイヤークリップ眼鏡用のモダン。
【請求項１０】
テンプルの後端部に、着用者の耳珠側近傍に当接可能な前方ステーが一体に設けられており、この前方ステーの上部に後方ステー３２が枢支されて自由端が上下にチルト操作可能に構成されていることを特徴とするイヤークリップ眼鏡用のモダン。
【発明の詳細な説明】
【０００１】
【発明の属する技術分野】
本発明は、フロント枠が滑り下がらない眼鏡に関する提案、さらに詳しくは、テンプル後端部に設けたモダンの前方ステーと後方ステーとで耳介の付根近傍を巧みに挟込んでクリップ出来るようにすることにより、フロント枠を着用者の眼部適正位置に対置させた状態を安定かつ持続的に保持することができる着用性の良好なイヤークリップ眼鏡と、それに用いるモダンに関するものである。
【０００２】
【従来の技術】
周知のとおり、常識的な通常の眼鏡は、レンズを装着したフロント枠を着用者の眼部前面に対置させて、これをフロント枠の中央に設けた鼻当パッドを着用者の鼻に当接させたときに生ずる摩擦力と、テンプルおよびモダンの側頭部に対する挟着力とによって着用される。
【０００３】
ところが、レンズとレンズを保持する枠材料の重量は相当に重く、また着用者の鼻からは汗や皮脂が滲出する。このため、その眼鏡は鼻当パッドが着用者の鼻面に当接していても、レンズを含むフロント枠の重みで汗・皮脂の滲出した鼻面を滑り下がり易くなるのであり、眼鏡を適正位置に保持することが困難になる。そして、その傾向は特に厚手のレンズを装着した眼鏡に極端に現れるのである。
【０００４】
また、眼鏡は、長く使用している裡にブリッジの両側が外側に反り返ったり、左右のテンプルが曲がるなど変形して左右側頭部に対する挟着力が低下する傾向があり（左右のテンプルの間隔が着用者の頭幅より広くなる現象＝俗称「テンプルのバンザイ」）、これもまた眼鏡の滑り下がり原因となる。
【０００５】
しかして、着用中に前述のように眼鏡が滑り下がると、視力矯正眼鏡にあっては適正関係にあるべき着用者の瞳孔に対するレンズの光軸位置が乖離して外界が見難くなり、眼精疲労となる。また、サングラスや所謂「伊達メガネ」にあっては滑り下がると、フロント枠が顔の好ましくない箇所に移動して顔貌イメージを崩すことになるので、装飾品としての眼鏡のファッション性を損なう。
【０００６】
従来、眼鏡の滑り下がりを改善しようとする提案としては、鼻当パッドに軟質のシリコーンゴムを採用するもの（例えば、特許文献１参照）、眼鏡テンプルの後端に幅広しゃもじ状の当て具を設けて着用者の後頭頚部を包むように構成したもの（特許文献２参照）、あるいはテンプル後端部に長さ調節自在なボウコード＜弓形の弦線＞　を備えるクッションモダン（特許文献３参照）が知られている。
【０００７】
【特許文献１】
実開昭５６−１３９１１８号公報（請求項４、請求項５、および第５図）
【特許文献２】
特公平６−５３１７９号公報（第１頁左欄、第１図）
【特許文献３】
特開平７−２０９６１６号公報（請求項１、段落［００２４］、図４）
しかしながら、上掲従来の提案には、次のような不満が残った。
（１）　特許文献１に提案のシリコーンゴムを用いた鼻当パットにあっては、汗や皮脂の分泌が微量なときはシリコーンゴム固有の柔軟性と摩擦性能の作用によって眼鏡フロント枠の滑り下がりを大分抑制できるけれども、夏や運動時のように汗や皮脂の分泌が激しいときには殆ど要をなさない。
（２）　特許文献２に提案の幅広しゃもじ状の当て具をテンプル後端に装着した巨大モダンにあっては、余りにも嵩張ってデザイン的に問題があることに加え、
夏などは暑苦しく、眼鏡の掛外しも面倒という欠点が避けられない。
（３）　特許文献３に提案のボウコード（弓形の弦線）を備えるクッションモダンをテンプル後端に装着する方式は、ソフトな合成樹脂性のボウコードを用いているため、ボウコードの長さを的確に調節したときには当該コードが着用者の耳介後部の付根に靱やかにフィットしてフロント枠の滑り下がりを相当に抑制できるのであるが、耳介の付根に沿ってボウコードが長さ方向に滑り動くことを完全に抑制することができず、フロント枠のレンズが重かったりす
ると、やはり、フロント枠は滑り下がらざるを得なかった。
【０００８】
【発明が解決しようとする課題】
本発明は、従来の眼鏡に前述の如き問題点があり、これまで提案された改善策では十分満足できる結果が得られなかったことに鑑みて為されたものであって、フロント枠を着用者の眼部適正位置に対置させた状態を安定かつ持続的に保持することができる実用的なイヤークリップ眼鏡と、それに用いるモダンを提供することを目的とするものである。
【０００９】
【課題を解決するために採用した手段】
本発明者が上記目的を達成するために採用した手段を、添附図面を参照して説明すれば、次のとおりである。
【００１０】
即ち、本発明は、レンズを保持するフロント枠１と；このフロント枠１の左右両端に後方に持ち出し延設された一対のテンプル２・２と；これらテンプル２の後端部に設けられた分岐部材であって、着用者Ｐの耳珠（ｔｒａｇｕｓ：外耳道開口部前方の小隆起＜“メローニ図解医学辞典”　４８２頁Ｌ欄＞）側近傍に当接可能な前方ステー３１、および同前方ステー３１の上部に枢支されて自由端を上下にチルト操作可能な後方ステー３２を備えるモダン３とを目的達成の手段として採用したものであって、
着用者Ｐが前記フロント枠１を自己の眼部前面に対置させると共に、テンプル２・２は左右側頭部に充行い、かつ、テンプル２・２後端の各モダン３の前方ステー３１は左右の各耳の耳珠側に当接させ、後方ステー３２は当該各耳の後部付根側へチルトさせて、これら前方ステー３１と後方ステー３２とにより左右両耳を各々挟着クリップできるイヤークリップ眼鏡を実現した点に特徴がある。
【００１１】
本発明はまた、テンプル２の後端部に装着される眼鏡用部品として、
着用者Ｐの耳珠側近傍に当接可能な前方ステー３１と、この前方ステー３１の上部に枢支されて自由端を上下にチルト操作可能な後方ステー３２とを連関結合させることによって、耳珠近傍と耳介の付根後部とを前記前方ステー３１と後方ステー３２とで挟込みクリップできるように構成した点にも特徴がある。
【００１２】
さらに本発明は、テンプル２として、当該テンプル２の後端部に、着用者Ｐの耳珠側近傍に当接可能な前方ステー３１が一体に設け、この前方ステー３１の上部に後方ステー３２を枢支して自由端を上下にチルト操作可能に構成することにより、耳珠近傍と耳介の付根後部とを前記前方ステー３１と後方ステー３２との間に挟込みクリップできるように構成した点にも特徴がある。
【００１３】
【発明の実施の形態】
以下、本発明を具体的に適用して作製した実施の形態（イヤークリップ眼鏡とモダン）を例示して、本発明の構成を更に詳しく説明する。
【００１４】
〔第１実施形態〕
本発明の第１実施形態を表わす図１〜図５において、符号１で指示するものは眼鏡のフロント枠であり、その左右両側にはブリッジＢにより一体に接続されたフルリム１１・１１を備え、これらフルリム１１・１１には各々レンズＬ・Ｌが抱持されている。このフロント枠１の左右両端には、Ｌ型に屈曲して後方へ持ち出したブラケット智２１・２１が接続されており、その各々の持出端部にはテンプル２・２が折畳み操作自由に連結してある。
【００１５】
つぎに、図１〜図５において、符号３で指示するものはイヤークリップ機能を発揮する高密度ポリエチレン樹脂を主体として作製されたモダンである。本実施形態におけるモダン３は、前方ステー３１と、この前方ステー３１の上部に枢軸３５ににて枢支された後方ステー３２とが二股を呈する分岐部材として構成されており、後方ステー３２の自由端部は上下に揺動させることにより前方ステー３１に対し任意角度にチルト操作可能にしてある。そして、このモダン３の基部３６には、接続孔３６ａが開設されており、上記テンプル２・２の後端部の各々に当該モダン３・３の前記接続孔３６ａを被挿させることにより、第１実施形態のイヤークリップ眼鏡が出来上がる。
【００１６】
そこで、上記第１実施形態におけるモダン３の前方ステー３１と後方ステー３２との連結部分について更に具体的に説明しておくと、本実施形態におけるモダン３の前方ステー３１と後方ステー３２とを連結する接続部分には図２に示すごときカム機構が配設されている。即ち、後方ステー３２の基部には、周縁の所要箇所（着用した際に耳介の付根部に対応する位置）に安定停止部３３ａを有するカム３３を固定しておく一方、前方ステー３１には上部のヒンジ片３１ａの底部から圧縮コイルバネ３４ａによって付勢された弾圧子３４を内挿して、前方ステー３１上部のヒンジ片３１ａに後方ステー３２の基部を枢軸３５（本実施形態では洋白製のピボット）にてヒンジ連結し、かつ、基部に固定したカム３３と前記弾圧子３４とを当接させておくのである。かくして、後方ステー３２は、枢軸３４を支点として上下にチルト操作可能となり、カム３３の安定停止部３３ａと弾圧子３４とが当接する位置まで傾動付勢力が作用して両者３３ａと３４が会合したとき安定することになる。
【００１７】
こうして作製された第１実施形態のイヤークリップ眼鏡を着用するときには、まず、着用者Ｐは左右両テンプル２を開き、各モダン３の前方ステー３１は左右の耳珠側に当接させ、かつ、後方ステー３２を上方へチルトさせた状態で自分の両側頭部に充行う（図４参照）。ついで、左右のレンズＬ・Ｌの光軸と自分の両眼の瞳孔とが合致する眼部前面の適正位置にフロント枠１を対置させ、後方ステー３２を下方へチルトさせるならば、当該モダン３の前方ステー３１は耳珠側、後方ステー３２は耳介の後部付根部を挟込むようにクリップすることになるので、当該眼鏡全体は着用者Ｐの顔の理想的位置に安定に保持されることになるのである。
【００１８】
〔第２実施形態〕
本発明の第２実施形態は図６に示される。図６中のフロント枠１は、レンズＬ・Ｌの上弦部を囲う左右のハーフリム１２・１２を含んで成り、中央部にはブリッジＢを有する。なお、前記左右のレンズＬ・Ｌは両端を前記各ハーフリム１２に固定したナイロン製コード（図示せず）によって吊支されている。
【００１９】
第２実施形態におけるテンプル２・２は、上記フロント枠１の左右両端に固定されたＬ型のブラケット智２１・２１にヒンジ連結されて折畳み自在になっており、その後端には上記第１実施形態と全く同じ構成のモダン３が装着してある。
【００２０】
〔第３実施形態〕
本発明の第３実施形態は図７に示される。図７に示されるリムレス眼鏡の構成は、本発明者が嘗て提案した登録第３００７８４６号実用新案「３点支持レンズクリップ式リムレス眼鏡」と基本的に同一であって、フロント枠１は左右一対のレンズＬ・Ｌを横方向に並立状態に連結して保持するブリッジＢにて組み立てられており、このフロント枠１の左右両端に連結したブラケット智２１・２１にヒンジ連結されたテンプル２・２の後端には、前方ステー３１と後方ステー３２とを有するモダン３が装着してある。こゝに用いられているモダン３も、上記第１実施形態と全く同じ構成である。
【００２１】
〔第４実施形態〕
本発明の第４実施形態は図８に示される。この第４実施形態におけるフロント枠１は、弯曲状のリムバー１３に横長左右一体型のポリカーボネート樹脂製カラーレンズＬを固定して成り、このフロント枠１の左右両端にはＬ型のブラケット智２１・２１が固定され、このブラケット智２１・２１には、更にテンプル２・２がヒンジ連結されている。そして、このテンプル２・２の後端部に、前方ステー３１と後方ステー３２とを有するモダン３が装着してある。こゝに採用するモダン３もまた、上記第１実施形態と全く同じ構成である。
【００２２】
本明細書・図面に具体的に例示する本発明の実施の形態は概ね上記のとおりであるが、本発明は前述の実施形態に限定されるものでは決してなく、「特許請求の範囲」の記載内において種々の設計変更が可能であることは当然であり、次に例示する設計変更例は本発明の技術的範囲に属することは云うまでもない。
（１）　モダン３の前方ステー３１、後方ステー３２、および基部３６などの主体部の素材としては、前述の実施形態例では高密度ポリエチレン樹脂を用いる例を上げ
たけれども、それ以外の合成樹脂（例えば、ナイロン、シリコーン樹脂、
ＰＰＳ樹脂などの如きエンジリアリングプラスチック材料）、竹木、さらに
好みによっては金属材料でも採択可能である。
（２）　また、前述の実施形態例においては、前方ステー３１と後方ステー３２との枢支部位にカム機構を用いる例を掲げているが、前方ステー３１の上部に後方ステー３２を連結してモダン３を構成する枢軸３５として、摩擦抵抗の大なる増摩性樹脂製のピボットを用いたり、あるいは摩擦抵抗の大なる増摩性樹脂を付着したピボットを用い、後方ステー３２のチルト操作時に前記増摩性樹脂に軋摩抵抗を生じさせて後方ステー３２の停止位置を安定にすることも可能である。
（３）　また、本発明のイヤークリップ方式のモダン３をテンプル２の後端部に装着するに構造としては、当該テンプルの挿入の深さを微調整することにより、モダン３・３による左右両耳のクリップ位置を各人毎に変更調整できるよう
にすることも可能である。
（４）　更に、前述の実施形態例においては、テンプル２とモダン３とは別体に作製する例についてのみ説明しているが、テンプル２とモダン３の前方ステー３１とを同材質で一体に成形することも可能であって、この場合には前方ステー３１の上部に後方ステー３２の基端部を枢支して後方ステー３２の自由端を上下に
チルト操作可能に連結するものとする。
【００２３】
【発明の効果】
以上、実施形態を挙げて具体的に説明したとおり、本発明を適用して構成したイヤークリップ眼鏡は、テンプル後端部に設けたモダンの前方ステーと後方ステーとで耳介の付根近傍を巧みに挟込んでクリップすることができるので、一旦、用法に従って着用するならば、フロント枠を着用者の眼部適正位置に対置させた状態を安定かつ持続的に保持することができ、その着用性は頗る良好である。
【００２４】
また、本発明において使用されるテンプルのモダン部は、前方ステーに後方ステーをチルト操作可能に枢支してあるだけであるので、その構成は頗る簡素にして外観デザインも良好であって、コスト的に安価に作製でき、しかもファッション性の要求も満足することができる。
【００２５】
このように本発明によれば、前示の特許文献１〜３に開示された先行公知技術の難点を悉く解消することができるうえに、経済的にも安価に提供することができるから、その産業上の利用価値は頗る大きい。
【図面の簡単な説明】
【図１】図１は、本発明の第１実施形態であるイヤークリップ眼鏡の斜視図である。
【図２】図２は、第１実施形態におけるテンプル後端のモダンの構造を示した部分拡大構造説明図である。
【図３】図３は、第１実施形態におけるモダンの後方ステーのチルト動作を表わした部分側面図である。
【図４】図４は、第１実施形態のイヤークリップ眼鏡を着用者が掛けようとする寸前の状態を表わした説明図である。
【図５】図５は、第１実施形態のイヤークリップ眼鏡におけるモダンの後方ステーを下方へチルトさせて耳介を前方ステーと後方ステーとの間に挟み込んだ状態を表わした説明図である。
【図６】図６は、本発明をハーフリム眼鏡に適用した第２実施形態の斜視図である。
【図７】図７は、本発明をリムレス眼鏡に適用した第３実施形態の斜視図である。
【図８】図８は、本発明をサングラスに適用した第４実施形態の斜視図である。
【符号の説明】
１　　　　　　フロント枠
１１　　　　　フルリム
１２　　　　　ハーフリム
１３　　　　　リムバー
２　　　　　　テンプル
２１　　　　　ブラケット智
３　　　　　　モダン
３１　　　　　前方ステー
３１ａ　　　　ヒンジ片
３２　　　　　　　　　　　後方ステー
３３　　　　　カム
３３ａ　　　　安定停止部
３４　　　　　弾圧子
３４ａ　　　　圧縮コイルバネ
３５　　　　　枢軸
３６　　　　（モダンの）基部
３６ａ　　　（モダンの）接続孔
Ｌ　　　　　　レンズ
Ｐ　　　　　　着用者
【図１】
2004133049.tif 000003
【図２】
2004133049.tif 000004
【図３】
2004133049.tif 000005
【図４】
2004133049.tif 000006
【図５】
2004133049.tif 000007
【図６】
2004133049.tif 000008
【図７】
2004133049.tif 000009
【図８】
2004133049.tif 000010